(57)【要約】【課題】  長時間に渡って無線エリア圏外に留まっている場合であっても、携帯端末の効率的な省電力化を図ることができるようにする。【解決手段】  ＣＰＵ５１は、携帯電話機１０が無線エリア圏外にいると判断すると、携帯電話機１０の電源を自動的にオフにする。また、電源起動信号発生回路５７は、電源をオフにしてからの経過時間の計測を開始する。ＣＰＵ５１は、電源オフカウント値にもとづいて、携帯電話機１０が無線エリア圏外にいる時間が長くなるに従って、長くなるように電源切断時間を決定する。また、電源起動信号発生回路５７は、電源をオフにしてから電源切断時間以上経過したか否かを判断する。電源切断時間以上経過したと判断すると、電源起動信号発生回路５７は電源起動信号を出力し、ＣＰＵ５１は携帯電話機１０の電源を再びオンにする。【選択図】  図１
2006042177.tif 000002
【特許請求の範囲】
【請求項１】
電源を制御することによって携帯端末の省電力化を実現する省電力化装置であって、
前記携帯端末が無線エリア圏外にいるか否かを判断する圏外判断手段と、
前記携帯端末の電源をオフにし、又は前記携帯端末の電源をオンにする電源制御手段と、
前記電源制御手段が携帯端末の電源をオフにしてから前記携帯端末の電源を再びオンにするまでの設定時間を決定する時間決定手段と、
前記電源制御手段が携帯端末の電源をオフにしてから、前記時間決定手段が決定した設定時間以上経過したか否かを判断する時間経過判断手段とを備え、
前記電源制御手段は、前記圏外判断手段によって携帯端末が無線エリア圏外にいると判断されると前記携帯端末の電源をオフにし、携帯端末の電源をオフしてから前記時間経過判断手段によって前記設定時間以上経過したと判断されると前記携帯端末の電源を再びオンにし、
前記圏外判断手段は、前記電源制御手段が携帯端末の電源をオンにするごとに、前記携帯端末が無線エリア圏外にいるか否かを判断し、
前記時間決定手段は、前記携帯端末が無線エリア圏外にいる時間が長くなるに従って、長くなるように前記設定時間を決定する
ことを特徴とする省電力化装置。
【請求項２】
時間決定手段は、電源制御手段が携帯端末をオフした回数が多くなるに従って、長くなるように設定時間を決定する請求項１記載の省電力化装置。
【請求項３】
時間経過判断手段は、電源制御手段が携帯端末の電源をオフにした回数が予め定めた所定の上限値以上であると判断すると、前記電源制御手段が携帯端末の電源をオフにしてから、設定時間として予め定めた所定の上限時間以上経過したか否かを判断する請求項２記載の省電力化装置。
【請求項４】
電源制御手段が携帯端末の電源をオフにした回数と設定時間とを対応付けて記憶する設定時間記憶手段を備え、
時間決定手段は、電源制御手段が携帯端末の電源をオフにした回数に対応する設定時間を前記設定時間記憶手段から抽出する
請求項２又は請求項３記載の省電力化装置。
【請求項５】
携帯端末の電池容量を求める電池容量算出手段を備え、
時間決定手段は、前記電池容量算出手段が求めた電池容量にもとづいて、前記携帯端末の電池容量が少なくなるに従って、長くなるように設定時間を決定する
請求項１から請求項４のうちのいずれか１項に記載の省電力化装置。
【請求項６】
ユーザ操作が最後に行われた時からの経過時間を求める時間算出手段を備え、
時間決定手段は、前記時間算出手段が求めた経過時間にもとづいて、ユーザ操作が最後に行われた時からの経過時間が長くなるに従って、長くなるように設定時間を決定する
請求項１から請求項５のうちのいずれか１項に記載の省電力化装置。
【請求項７】
ユーザの入力指示に従って設定時間を設定する時間入力設定手段を備え、
時間経過判断手段は、電源制御手段が携帯端末の電源をオフにしてから、前記時間入力設定手段が設定した設定時間以上経過したか否かを判断する
請求項１から請求項６のうちのいずれか１項に記載の省電力化装置。
【請求項８】
電源制御手段が携帯端末の電源をオンにした後に更に圏外判断手段によって前記携帯端末が無線エリア圏外にいると判断された場合に、前記携帯端末の電源を再びオフにするまでの時間を設定する電源オフ時間設定手段を備え、
前記電源制御手段は、前記電源オフ時間設定手段によって設定された時間が経過したことを条件に前記携帯端末の電源を再びオフにする
請求項１から請求項７のうちのいずれか１項に記載の省電力化装置。
【請求項９】
電源オフ時間設定手段は、ユーザの入力指示に従って、携帯端末の電源を再びオフにするまでの時間を設定する請求項８記載の省電力化装置。
【請求項１０】
電源を制御することによって省電力化を実現する省電力化装置を搭載した携帯端末であって、
前記省電力化装置は、
前記携帯端末が無線エリア圏外にいるか否かを判断する圏外判断手段と、
前記携帯端末の電源をオフにし、又は前記携帯端末の電源をオンにする電源制御手段と、
前記電源制御手段が携帯端末の電源をオフにしてから前記携帯端末の電源を再びオンにするまでの設定時間を決定する時間決定手段と、
前記電源制御手段が携帯端末の電源をオフにしてから、前記時間決定手段が決定した設定時間以上経過したか否かを判断する時間経過判断手段とを備え、
前記電源制御手段は、前記圏外判断手段によって携帯端末が無線エリア圏外にいると判断されると前記携帯端末の電源をオフにし、且つ携帯端末の電源をオフしてから前記時間経過判断手段によって前記設定時間以上経過したと判断されると前記携帯端末の電源を再びオンにし、
前記圏外判断手段は、前記電源制御手段が携帯端末の電源をオンにするごとに、前記携帯端末が無線エリア圏外にいるか否かを判断し、
前記時間決定手段は、前記携帯端末が無線エリア圏外にいる時間が長くなるに従って、長くなるように前記設定時間を決定する
ことを特徴とする携帯端末。
【請求項１１】
電源を制御することによって携帯端末の省電力化を実現する省電力化方法であって、
前記携帯端末の電源をオンにするごとに、前記携帯端末が無線エリア圏外にいるか否かを判断するステップと、
前記携帯端末が無線エリア圏外にいると判断すると、前記携帯端末の電源をオフにするステップと、
前記携帯端末が無線エリア圏外にいる時間が長くなるに従って長くなるように、前記携帯端末の電源をオフにしてから当該携帯端末の電源を再びオンにするまでの設定時間を決定するステップと、
前記携帯端末の電源をオフしてから前記設定時間以上経過したか否かを判断するステップと、
前記携帯端末の電源をオフしてから前記設定時間以上経過したと判断すると、前記携帯端末の電源を再びオンにするステップとを含む
ことを特徴とする省電力化方法。
【発明の詳細な説明】
【技術分野】
【０００１】
本発明は、電源を制御することによって携帯端末の省電力化を実現する省電力化装置及び省電力化方法に関する。また、本発明は、省電力化装置を搭載した携帯端末に関する。
【背景技術】
【０００２】
一般に、携帯電話機やＰＨＳ等の携帯端末は、セルサーチと呼ばれる基地局識別処理を行って自分がいる無線エリアを認識する。この場合、携帯端末は、無線エリア圏外にいると無線基地局を見つけられずセルサーチを繰り返し実行することになり、無線エリア圏内にいるときよりも多くの電力を消費してしまう。そのため、携帯端末の効率的な省電力化が図れない。
【０００３】
特許文献１には、無線エリア圏外にいるときの消費電力を軽減できる携帯電話機が記載されている。特許文献１に記載された携帯電話機は、所定時間を超えて圏外表示が継続すると、ユーザの指示入力により又は自動的に携帯電話機の電源をオフにする。そして、携帯電話機は、設定された所定時間が経過すると、自動的に携帯電話機の電源を再びオン（自動起動）にする。また、特許文献２には、圏外待ち受け時に制御チャネルのサーチ動作を行っている場合以外には電源を所定期間オフにする携帯端末のバッテリーセーブ制御装置が記載されている。
【０００４】
【特許文献１】特開２００２−２０８８８７号公報（段落００１３−００１５、図１−２）
【特許文献２】特開平７−９５１４４号公報（段落０００８−０００９、図１−２）
【発明の開示】
【発明が解決しようとする課題】
【０００５】
特許文献１に記載された携帯電話機や特許文献２に記載されたバッテリーセーブ制御装置によれば、携帯端末が無線エリア圏外にいる場合に携帯端末の電源を所定時間オフにすることによって、ある程度携帯端末の省電力化を行うことができる。しかし、所定時間経過後に電源を自動起動しセルサーチの実行を繰り返すので、携帯端末が長時間に渡って無線エリア圏外に留まっている場合には、セルサーチを何回も繰り返し実行することになる。そのため、携帯端末が長時間無線エリア圏外に留まっている場合には、省電力化を十分に図れないことがある。
【０００６】
そこで、本発明は、長時間に渡って無線エリア圏外に留まっている場合であっても、携帯端末の効率的な省電力化を図ることができる省電力化装置、携帯端末及び省電力化方法を提供することを目的とする。
【課題を解決するための手段】
【０００７】
本発明による省電力化装置は、電源を制御することによって携帯端末の省電力化を実現する省電力化装置であって、携帯端末が無線エリア圏外にいるか否かを判断する圏外判断手段（プログラムに従って動作するＣＰＵ５１によって実現される）と、携帯端末の電源をオフにし、又は携帯端末の電源をオンにする電源制御手段（プログラムに従って動作するＣＰＵ５１及び電源回路によって実現される）と、電源制御手段が携帯端末の電源をオフにしてから携帯端末の電源を再びオンにするまでの設定時間（電源切断時間）を決定する時間決定手段（プログラムに従って動作するＣＰＵ５１によって実現される）と、電源制御手段が携帯端末の電源をオフにしてから、時間決定手段が決定した設定時間以上経過したか否かを判断する時間経過判断手段（電源起動信号発生回路５７によって実現される）とを備え、電源制御手段は、圏外判断手段によって携帯端末が無線エリア圏外にいると判断されると携帯端末の電源をオフにし、携帯端末の電源をオフしてから時間経過判断手段によって設定時間以上経過したと判断されると携帯端末の電源を再びオンにし、圏外判断手段は、電源制御手段が携帯端末の電源をオンにするごとに、携帯端末が無線エリア圏外にいるか否かを判断し、時間決定手段は、携帯端末が無線エリア圏外にいる時間が長くなるに従って、長くなるように設定時間を決定することを特徴とする。
【０００８】
また、時間決定手段は、電源制御手段が携帯端末をオフした回数が多くなるに従って、長くなるように設定時間を決定するものであってもよい。そのような構成によれば、電源を連続して自動的にオフにした回数が多くなるに従って長くなるように設定時間を設定するので、携帯端末が無線エリア圏外にいる時間が長くなるに従って長くなるように設定時間を設定できる。従って、携帯端末が長時間に渡って無線エリア圏外に留まっている場合に、携帯端末の電源を自動的にオフにしてから再びオンにするまでの時間を長くすることができる。
【０００９】
また、時間経過判断手段は、電源制御手段が携帯端末の電源をオフにした回数が予め定めた所定の上限値以上であると判断すると、電源制御手段が携帯端末の電源をオフにしてから、設定時間として予め定めた所定の上限時間以上経過したか否かを判断するものであってもよい。そのような構成によれば、携帯端末の省電力化制御を行う場合に、携帯端末の電源をオフにする時間が無制限に長くなることを防止することができる。
【００１０】
また、省電力化装置は、電源制御手段が携帯端末の電源をオフにした回数と設定時間とを対応付けて記憶する設定時間記憶手段（対応テーブルを記憶するメモリ６０によって実現される）を備え、時間決定手段は、電源制御手段が携帯端末の電源をオフにした回数に対応する設定時間を設定時間記憶手段から抽出するものであってもよい。
【００１１】
また、省電力化装置は、携帯端末の電池容量を求める電池容量算出手段（プログラムに従って動作するＣＰＵ５１によって実現される）を備え、時間決定手段は、電池容量算出手段が求めた電池容量にもとづいて、携帯端末の電池容量が少なくなるに従って、長くなるように設定時間を決定するものであってもよい。そのような構成によれば、携帯端末の電池容量が残り少ない場合であっても、携帯端末の電池をより長持ちさせることができる。
【００１２】
また、省電力化装置は、ユーザ操作が最後に行われた時からの経過時間を求める時間算出手段（プログラムに従って動作するＣＰＵ５１によって実現される）を備え、時間決定手段は、時間算出手段が求めた経過時間にもとづいて、ユーザ操作が最後に行われた時からの経過時間が長くなるに従って、長くなるように設定時間を決定するものであってもよい。そのような構成によれば、ユーザの使用頻度が少ない場合の携帯端末の省電力化をより効率的に行うことができる。
【００１３】
また、省電力化装置は、ユーザの入力指示に従って設定時間を設定する時間入力設定手段（プログラムに従って動作するＣＰＵ５１及び入力部５５によって実現される）を備え、時間経過判断手段は、電源制御手段が携帯端末の電源をオフにしてから、時間入力設定手段が設定した設定時間以上経過したか否かを判断するものであってもよい。
【００１４】
また、省電力化装置は、電源制御手段が携帯端末の電源をオンにした後に更に圏外判断手段によって携帯端末が無線エリア圏外にいると判断された場合に、携帯端末の電源を再びオフにするまでの時間を設定する電源オフ時間設定手段（プログラムに従って動作するＣＰＵ５１によって実現される）を備え、電源制御手段は、電源オフ時間設定手段によって設定された時間が経過したことを条件に携帯端末の電源を再びオフにするものであってもよい。
【００１５】
また、電源オフ時間設定手段は、ユーザの入力指示に従って、携帯端末の電源を再びオフにするまでの時間を設定するものであってもよい。
【００１６】
本発明による携帯端末は、電源を制御することによって省電力化を実現する省電力化装置を搭載した携帯端末（携帯電話機１０によって実現される）であって、省電力化装置は、携帯端末が無線エリア圏外にいるか否かを判断する圏外判断手段と、携帯端末の電源をオフにし、又は携帯端末の電源をオンにする電源制御手段と、電源制御手段が携帯端末の電源をオフにしてから携帯端末の電源を再びオンにするまでの設定時間を決定する時間決定手段と、電源制御手段が携帯端末の電源をオフにしてから、時間決定手段が決定した設定時間以上経過したか否かを判断する時間経過判断手段とを備え、電源制御手段は、圏外判断手段によって携帯端末が無線エリア圏外にいると判断されると携帯端末の電源をオフにし、且つ携帯端末の電源をオフしてから時間経過判断手段によって設定時間以上経過したと判断されると携帯端末の電源を再びオンにし、圏外判断手段は、電源制御手段が携帯端末の電源をオンにするごとに、携帯端末が無線エリア圏外にいるか否かを判断し、時間決定手段は、携帯端末が無線エリア圏外にいる時間が長くなるに従って、長くなるように設定時間を決定することを特徴とする。
【００１７】
本発明による省電力化方法は、電源を制御することによって携帯端末の省電力化を実現する省電力化方法であって、携帯端末の電源をオンにするごとに、携帯端末が無線エリア圏外にいるか否かを判断するステップと、携帯端末が無線エリア圏外にいると判断すると、携帯端末の電源をオフにするステップと、携帯端末が無線エリア圏外にいる時間が長くなるに従って長くなるように、携帯端末の電源をオフにしてから携帯端末の電源を再びオンにするまでの設定時間を決定するステップと、携帯端末の電源をオフしてから設定時間以上経過したか否かを判断するステップと、携帯端末の電源をオフしてから設定時間以上経過したと判断すると、携帯端末の電源を再びオンにするステップとを含むことを特徴とする。
【発明の効果】
【００１８】
本発明によれば、携帯端末が無線エリア圏外にいる時間が長くなるに従って長くなるように所定の設定時間を設定する。そして、携帯端末の電源を自動的にオフにした後、所定の設定時間以上が経過したことを条件に再び携帯端末の電源をオンにする。そのため、携帯端末が長時間に渡って無線エリア圏外に留まっている場合に、携帯端末の電源を自動的にオフにしてから再びオンにするまでの時間を長くすることができ、所定時間あたりのセルサーチの回数を減少させることができる。従って、長時間に渡って無線エリア圏外に留まっている場合であっても、携帯端末の効率的な省電力化を図ることができる。
【発明を実施するための最良の形態】
【００１９】
以下、本発明の実施の形態を図面を参照して説明する。図１は、本発明による省電力化装置を適用した携帯端末の省電力システムの構成の一例を示すブロック図である。本実施の形態では、省電力化装置を携帯電話機１０に搭載する場合を説明する。なお、省電力化装置は、携帯電話機１０に限らず、ＰＨＳ等他の携帯端末にも搭載可能である。
【００２０】
本実施の形態では、省電力化装置は、携帯電話機１０が無線エリア圏外にいると判断すると自動的に携帯電話機１０の電源をオフにし、所定時間経過後に自動的に携帯電話機１０の電源を再び自動起動する省電力化制御処理を実行する。すなわち、省電力化装置は、携帯電話機１０の電源を所定時間切断することを繰り返すことによって、携帯電話機１０の消費電力を低減する。また、省電力化装置は、携帯電話機１０が無線エリア圏外にいる時間の長さに従って、電源をオフしてから再びオンにするまでの時間を変化させながら省電力化制御処理を実行する。
【００２１】
図１に示すように、携帯電話機１０は、ＣＰＵ５１、アンテナ５２、送受信機５３、表示部５４、入力部５５、タイマ５６、電源起動信号発生回路５７、レギュレータ５８、電池５９及びメモリ６０を含む。
【００２２】
ＣＰＵ５１は、携帯電話機１０が搭載するプログラムに従って、送受信処理等の各処理を実行する。また、ＣＰＵ５１は、携帯電話機１０の電源をオフにしたり、携帯電話機１０の電源をオンにする機能を備える。具体的には、ＣＰＵ５１は、携帯電話機１０が備える電源回路（図示せず）に携帯電話機１０が搭載する各デバイスの電源をオフ又はオンにさせることによって、携帯電話機１０の電源をオフ又はオンにする。
【００２３】
また、ＣＰＵ５１は、携帯電話機１０が無線エリア圏外にいる時間の長さにもとづいて、携帯電話機１０の電源をオフにしてから再び電源をオンにするまでの割り込み時間（以下、電源切断時間という）を決定する機能を備える。本実施の形態では、ＣＰＵ５１は、携帯電話機１０が無線エリア圏外にいる時間が長くなるに従って、長くなるように電源切断時間を決定する。
【００２４】
送受信機５３は、アンテナ５２を介して無線信号を送受信する機能を備える。また、送受信機５３は、受信信号を復調し、復調信号をＣＰＵ５１に出力する機能を備える。表示部５４は、ＣＰＵ５１の指示に従って各種情報を表示する機能を備える。例えば、表示部５４は、ＣＰＵ５１の指示に従って無線エリア圏内又は圏外である旨を表示する。
【００２５】
入力部５５は、具体的には、携帯電話機１０のキー操作部であり、例えば電源スイッチ（図示せず）を含む。本実施の形態では、ユーザによって入力部５５の電源スイッチが押下されると、ＣＰＵ５１は、入力部５５から電源投入信号を入力し、携帯電話機１０の電源をオンにする。
【００２６】
タイマ５６は、時間信号をＣＰＵ５１や電源起動信号発生回路５７に出力する機能を備える。電源起動信号発生回路５７は、携帯電話機１０の電源をオフにした場合に、タイマ５６からの時間信号にもとづいて、携帯電話機１０の電源をオフにしてからの経過時間を計測する機能を備える。例えば、電源起動信号発生回路５７は、タイマ５６が時間信号として発生するパルスをカウントすることによって、携帯電話機１０の電源をオフにしてからの経過時間を計測する。
【００２７】
また、電源起動信号発生回路５７は、携帯電話機１０の電源をオフにしてから所定時間（電源切断時間）が経過すると、携帯電話機１０の電源の自動起動を指示する割り込み信号（以下、電源起動信号という）を生成する機能を備える。また、電源起動信号発生回路５７は、生成した電源起動信号をＣＰＵ５１に出力し、ＣＰＵ５１に携帯電話機１０の電源をオンにさせる機能を備える。
【００２８】
レギュレータ５８は、電池５９から供給される電力を所定の電圧値に変換してＣＰＵ５１に供給する機能を備える。メモリ６０は、携帯電話機１０によって処理される各種プログラムやデータを記憶する。メモリ６０は、携帯電話機１０が無線エリア圏外にいると連続して判断した回数（以下、圏外カウント値という）ｉを記憶する。また、メモリ６０は、連続して携帯電話機１０の電源をオフにした回数（以下、電源オフカウント値という）Ｘを記憶する。
【００２９】
本実施の形態では、ＣＰＵ５１は、セルサーチを行って携帯電話機１０が無線エリア圏外にいると判断した際に圏外カウント値ｉをカウントする。また、ＣＰＵ５１は、携帯電話機１０の電源の自動的にオフにした際に電源オフカウント値Ｘをカウントする。そして、メモリ６０は、ＣＰＵ５１がカウントした圏外カウント値ｉや電源オフカウント値Ｘを記憶する。なお、圏外カウント値ｉや電源オフカウント値Ｘをメモリ６０が記憶するのではなく、例えば、電源起動信号発生回路５７が備えるＥＥＰＲＯＭが記憶してもよい。
【００３０】
次に、動作について説明する。図２は、携帯電話機１０が搭載する省電力化装置が実行する省電力化制御処理の一例を示す流れ図である。携帯電話機１０は、セルサーチを実行する（ステップＳ１０１）。例えば、携帯電話機１０は、予め定められた所定のタイミングでセルサーチを実行し、自分がいる無線エリアを認識する。また、携帯電話機１０は、後述するように電源を自動的にオンにするごとにセルサーチを実行する。
【００３１】
携帯電話機１０のＣＰＵ５１は、携帯電話機１０が現在無線エリア圏外にいるか否かを判定する（ステップＳ１０２）。例えば、ＣＰＵ５１は、送受信機５３からの受信信号のレベルにもとづいて、無線基地局と通信可能であるか否か等受信状態を判定することによって、無線エリア圏外にいるか否かを判定する。また、例えば、ＣＰＵ５１は、送受信機５３が受信した位置登録情報にもとづいて無線エリア圏外にいるか否かを判定する。無線エリア圏内にいると判定すると、携帯電話機１０は、そのまま処理を終了する。
【００３２】
無線エリア圏外にいると判定すると、ＣＰＵ５１は、メモリ６０が記憶する圏外カウント値ｉが予め定めた所定値Ｎ以上であるか否かを判断する（ステップＳ１０３）。すなわち、ＣＰＵ５１は、セルサーチを行って連続して無線エリア圏外であると判断した回数がＮ回以上であるか否かを判断する。なお、携帯電話機１０は、例えば、所定の固有の固定値としてＮを予めメモリ６０に記憶する。また、例えば、携帯電話機１０は、ユーザの操作に従って、入力部５５からの入力にもとづいて任意にＮの値を設定してもよい。
【００３３】
圏外カウント値ｉがＮ以上でないと判断すると、ＣＰＵ５１は、メモリ６０が記憶する圏外カウント値ｉを１加算して更新する。また、ＣＰＵ５１は、予め定めた所定時間待機して（ステップＳ１０４）、ステップＳ１０１以降の処理を再び繰り返し実行する。例えば、ＣＰＵ５１は、タイマ５６が出力する時間信号にもとづいて経過時間を計測することによって所定時間待機し、ステップＳ１０１以降の処理を繰り返し実行する。なお、ＣＰＵ５１は、圏外カウント値ｉがＮ以上であると判断した場合には、メモリ６０が記憶する圏外カウント値ｉを初期化（クリア）し、次のステップＳ１０５以降の処理を実行する。
【００３４】
圏外カウント値ｉがＮ以上であると判断すると、電源起動信号発生回路５７は、タイマ５６からの時間信号にもとづいて時間の計測を開始する（ステップＳ１０５）。また、ＣＰＵ５１は、携帯電話機１０の電源をオフにする（ステップＳ１０６）。すなわち、携帯電話機１０は、電源をオフにし、電源をオフにしてからの経過時間の計測を開始する。また、ＣＰＵ５１は、タイマ５６及び電源起動信号発生回路５７以外の携帯電話機１０が搭載するデバイスの電源をオフにする。
【００３５】
ＣＰＵ５１は、入力部５５から電源投入信号が入力されたか否かを判断する（ステップＳ１０７）。すなわち、ＣＰＵ５１は、電源オフの状態でユーザによって手動で電源スイッチが押下されたか否かを判断する。電源投入信号が入力されたと判断すると、ＣＰＵ５１は、携帯電話機１０の電源をオンにし（ステップＳ１０８）、処理を終了する。すなわち、ユーザによって手動で電源投入の操作が行われた場合には、ＣＰＵ５１は、省電力化制御処理の実行中であっても、ユーザ操作を優先し携帯電話機１０の電源をオンにする。
【００３６】
電源投入信号が入力されていないと判断すると、電源起動信号発生回路５７は、ステップＳ１０５で時間の計測を開始してから所定時間（電源切断時間）ｔ以上経過したか否かを判断する（ステップＳ１０９）。電源切断時間ｔ以上経過していないと判断すると、携帯電話機１０は、ステップＳ１０７以降の処理を繰り返し実行する。
【００３７】
電源切断時間ｔ以上経過したと判断すると、電源起動信号発生回路５７は、電源のオンを指示する電源起動信号を生成しＣＰＵ５１に出力する。すると、ＣＰＵ５１は、電源起動信号発生回路５７から入力した電源起動信号に従って、携帯電話機１０の電源をオンにする（ステップＳ１１０）。本実施の形態では、ＣＰＵ５１は、タイマ５６及び電源起動信号発生回路５７を含む携帯電話機１０の全てのデバイスの電源をオンにする。そして、携帯電話機１０は、ステップＳ１０１の処理に戻り、セルサーチ以降の処理を再び繰り返し実行する。
【００３８】
以上の処理によって、携帯電話機１０が無線エリア圏内に復帰するか、又はユーザによって手動で電源キーが押されるまで、省電力化制御が行われる。
【００３９】
次に、携帯電話機１０が無線エリア圏外にいる時間の長さに従って、電源オフから電源オンまでの電源切断時間を変化させながら省電力化制御処理を実行する場合の動作を説明する。図３は、携帯電話機１０が無線エリア圏外にいる時間の長さに従って省電力化制御を行う場合の省電力化制御処理の一例を示す流れ図である。
【００４０】
図２に示すステップＳ１０１からステップＳ１０４までと同様に、携帯電話機１０は、セルサーチを実行し（ステップＳ２０１）、現在無線エリア圏外にいるか否かを判断する（ステップＳ２０２）。無線エリア圏外にいると判断すると、ＣＰＵ５１は、メモリ６０が記憶する圏外カウント値ｉが所定値Ｎ以上であるか否かを判断し、Ｎ以上でなければ所定時間待機して（ステップＳ２０４）、ステップＳ２０１以降の処理を再び繰り返し実行する。
【００４１】
圏外カウント値ｉがＮ以上であると判断すると、ＣＰＵ５１は、メモリ６０が記憶する電源オフカウント値Ｘを１加算し更新する（ステップＳ２０５）。また、図２に示すステップＳ１０５及びステップＳ１０６と同様に、電源起動信号発生回路５７は時間の計測を開始し（ステップＳ２０６）、ＣＰＵ５１は携帯電話機１０の電源をオフにする（ステップＳ２０７）。すなわち、携帯電話機１０は、電源をオフにして電源オフカウント値Ｘを更新し、電源をオフにしてからの経過時間の計測を開始する。
【００４２】
また、図２に示すステップＳ１０７及びステップＳ１０８と同様に、ＣＰＵ５１は、ユーザによって手動で電源投入信号が入力されたか否かを判断し（ステップＳ２０８）、電源投入信号が入力されたと判断すると携帯電話機１０の電源をオンにする（ステップＳ２０９）。
【００４３】
ステップＳ２０８で電源信号が入力されていないと判断すると、ＣＰＵ５１は、メモリ６０が記憶する電源オフカウント値Ｘにもとづいて電源切断時間を決定する。例えば、メモリ６０は、電源オフカウント値Ｘと電源切断時間ｔｘとを対応付けた対応テーブルを予め記憶している。そして、ＣＰＵ５１は、電源オフカウント値Ｘに対応する電源切断時間ｔｘを対応テーブルから抽出することによって電源切断時間を決定する。また、例えば、ＣＰＵ５１は、ユーザの操作に従って、入力部５５からの入力によって電源切断時間を設定するようにしてもよい。
【００４４】
図４は、電源オフカウント値Ｘと電源切断時間ｔｘとの対応テーブルの一例を示す説明図である。図４に示すように、対応テーブルは、電源オフセットカウント値１，２，３，・・・，ｎ，・・・と電源切断時間ｔ１，ｔ２，ｔ３，・・・，ｔｎ，・・・とを対応付けて含む。本実施の形態では、対応テーブルにおいて、ｔｎ≧ｔｎ−１となるように、電源切断時間ｔｘの値が予め定められている。すなわち、携帯電話機１０の電源を連続して自動的にオフにした回数が多くなるに従って、電源切断時間が長くなるように定められている。そのようにすることによって、携帯電話機１０が無線エリア圏外にいる時間が長くなるに従って、電源を自動的にオフにしてから再びオンにするまでの時間を長くするように携帯電話機１０の省電力化制御を行うことができる。
【００４５】
電源起動信号発生回路５７は、ステップＳ２０６で経過時間の計測を開始してから、決定した電源切断時間ｔｘ以上経過したか否かを判断する（ステップＳ２１０）。電源切断時間ｔｘ以上経過していないと判断すると、携帯電話機１０は、ステップＳ２０８以降の処理を繰り返し実行する。電源切断時間ｔｘ以上経過したと判断すると、図２に示すステップＳ１１０と同様に、電源起動信号発生回路５７は電源起動信号をＣＰＵ５１に出力し、ＣＰＵ５１は携帯電話機１０の電源をオンにする（ステップＳ２１１）。そして、携帯電話機１０は、ステップＳ２０１の処理に戻り、セルサーチ以降の処理を繰り返し実行する。
【００４６】
ステップＳ２０２において無線エリア圏外であると判断した場合、又はステップＳ２０９で携帯電話機１０の電源をオンにした場合、携帯電話機１０は、メモリ６０が記憶する電源オフカウントＸを初期化（クリア）し（ステップＳ２１２）、処理を終了する。
【００４７】
なお、ステップＳ２１１で携帯電話機１０の電源をオンにした後にステップＳ２０２で再び無線エリア圏外であると判断した場合、ＣＰＵ５１は、携帯電話機１０の電源を再びオフにするまでの時間を設定するようにしてもよい。そして、ＣＰＵ５１は、設定した所定の時間が経過したことを条件に携帯電話機１０の電源を再びオフにするようにしてもよい。この場合、ＣＰＵ５１は、ユーザの操作に従って、入力部５５からの入力によって携帯電話機１０の電源を再びオフにするまでの時間を設定するようにしてもよい。
【００４８】
以上のように、本実施の形態によれば、携帯電話機１０は、セルサーチによって無線エリア圏外にいると判断すると、自動的に電源をオフにする。また、携帯電話機１０は、電源をオフにしてから所定の電源切断時間以上経過すると、自動的に再び電源をオンにする。携帯電話機１０の電源を所定時間切断することを繰り返すことによって、不要な電力の消費を低減することができる。
【００４９】
また、本実施の形態によれば、携帯電話機１０は、電源オフカウント値にもとづいて電源切断時間を決定する。電源を連続して自動的にオフにした回数が多くなるに従って長くなるように電源切断時間を設定するので、携帯電話機１０が無線エリア圏外にいる時間が長くなるに従って長くなるように電源切断時間を設定できる。そのため、携帯電話機１０が長時間に渡って無線エリア圏外に留まっている場合に、携帯電話機１０の電源を自動的にオフにしてから再びオンにするまでの時間を長くすることができ、所定の時間あたりのセルサーチの回数を減少させることができる。従って、長時間に渡って無線エリア圏外に留まっている場合であっても、携帯電話機１０の効率的な省電力化を図ることができる。
【００５０】
なお、図３に示す省電力化制御処理において、電源切断時間ｔｘの値の上限を設定するようにしてもよい。例えば、電源起動信号発生回路５７は、電源オフカウント値Ｘが予め定めた上限値ｐ以上であるか否かを判断し、上限値ｐ以上である場合には電源切断時間ｔｘとして所定の上限時間ｔｐを決定するようにしてもよい。また、例えば、電源起動信号発生回路５７は、ユーザの操作に従って、入力部５５からの入力によって上限時間ｔｐを設定するようにしてもよい。そして、図３のステップＳ２１０において、電源起動信号発生回路５７は、携帯電話機１０の電源を自動的にオフしてから、所定の上限時間ｔｐ以上経過したか否かを判断するようにしてもよい。そのようにすれば、携帯電話機１０の省電力化制御を行う場合に、携帯電話機１０の電源をオフにする時間が無制限に長くなることを防止することができる。
【００５１】
また、電源起動信号発生回路５７は、携帯電話機１０の電池容量にもとづいて電源切断時間を決定するようにしてもよい。例えば、図３のステップＳ２１０において、携帯電話機１０は、現在の電池容量を求める。また、電源起動信号発生回路５７は、求めた電池容量にもとづいて、携帯電話機１０の電池容量が少なくなるに従って、長くなるように電源切断時間ｔｘを決定する。そのようにすれば、電池容量が残り少なくなるに従って、携帯電話機１０の電源を自動的にオフにしてから再びオンにするまでの時間を長くすることができる。従って、携帯電話機１０の電池容量が残り少ない場合であっても、携帯電話機１０の電池をより長持ちさせることができる。
【００５２】
また、電源起動信号発生回路５７は、ユーザが最近操作をした時からの経過時間にもとづいて電源切断時間を決定するようにしてもよい。例えば、図３のステップＳ２１０において、携帯電話機１０は、ユーザが最後にキー操作又は携帯電話機１０を閉じる操作をした時からの経過時間を求める。また、電源起動信号発生回路５７は、求めた経過時間にもとづいて、最後のユーザ操作からの経過時間が長くなるに従って、長くなるように電源切断時間ｔｘを決定する。そのようにすれば、ユーザの使用頻度が少ない場合、携帯電話機１０の電源を自動的にオフにしてから再びオンにするまでの時間をより長くすることができる。従って、ユーザの使用頻度が少ない場合の携帯電話機１０の省電力化をより効率的に行うことができる。
【産業上の利用可能性】
【００５３】
本発明は、携帯電話機やＰＨＳ等の携帯端末の省電力化の用途に適用できる。特に、携帯端末が無線エリア圏外に長時間留まっている場合に、携帯端末の省電力化をより効率的に行うことができる。
【図面の簡単な説明】
【００５４】
【図１】本発明による省電力化装置を適用した携帯端末の省電力システムの構成の一例を示すブロック図である。
【図２】携帯電話機１０が搭載する省電力化装置が実行する省電力化制御処理の一例を示す流れ図である。
【図３】携帯電話機１０が無線エリア圏外にいる時間の長さに従って省電力化制御を行う場合の省電力化制御処理の一例を示す流れ図である。
【図４】電源オフカウント値Ｘと電源切断時間ｔｘとの対応テーブルの一例を示す説明図である。
【符号の説明】
【００５５】
１０  携帯電話機
５１  ＣＰＵ
５２  アンテナ
５３  送受信機
５４  表示部
５５  入力部
５６  タイマ
５７  電源起動信号発生回路
５８  レギュレータ
５９  電池
６０  メモリ
【図１】
2006042177.tif 000003
【図２】
2006042177.tif 000004
【図３】
2006042177.tif 000005
【図４】
2006042177.tif 000006